(57)【特許請求の範囲】
【請求項１】
光情報記録媒体に対して特定符号を含む符号を記録させると共に、前記光情報記録媒体から前記符号の再生を行わせ、前記符号の再生信号から、前記特定符号に係る再生信号の振幅について極大値又は極小値のいずれかであるピーク値を測定する測定手段と、
前記測定手段により得られた、同一又は異なる記録箇所における複数の前記ピーク値を用いて、前記ピーク値の最大値及び最小値の差分量、もしくは前記ピーク値の分散、平均偏差又は標準偏差である統計量を算出する統計量算出手段と、
前記統計量を用いて記録パワー条件と記録パルス条件との少なくともいずれかを決定する条件決定手段と、
を有する光情報記録再生装置。
【請求項２】
前記条件決定手段が、
前記符号に含まれる所定の符号の振幅レベル値をさらに用いて、前記記録パワー条件と前記記録パルス条件との少なくともいずれかを決定する
請求項１記載の光情報記録再生装置。
【請求項３】
前記振幅レベル値が、
５Ｔ符号乃至最長符号のいずれかの符号に係る再生信号の振幅最大レベル値及び振幅最小レベル値であり、
前記条件決定手段が、
前記振幅最大レベル値及び前記振幅最小レベル値から、振幅レベルにおける位置関係を示すベータ値を算出し、
前記ベータ値及び前記統計量を用いて、記録パワー条件と記録パルス条件との少なくともいずれかを決定する
ことを特徴とする請求項２記載の光情報記録再生装置。
【請求項４】
前記振幅レベル値が、
２種類以上の所定の符号に係る再生信号の振幅最大レベル及び振幅最小レベルであり、
前記条件決定手段が、
前記振幅最大レベル値及び前記振幅最小レベル値から、振幅レベルにおける位置関係を示すアシンメトリ値を算出し、
前記アシンメトリ値及び前記統計量を用いて、記録パワー条件と記録パルス条件との少なくともいずれかを決定する
ことを特徴とする請求項２記載の光情報記録再生装置。
【請求項５】
前記条件決定手段による処理結果と処理過程との少なくともいずれか、前記測定手段による測定結果、及び前記統計量算出手段により算出された前記統計量の少なくともいずれかにより、指定記録条件で所定の記録品位が得られるか否かを判断する記録可否判断手段
をさらに含む請求項１乃至４のいずれか１つ記載の光情報記録再生装置。
【請求項６】
前記記録可否判断手段により前記指定記録条件で前記所定の記録品位が得られないと判断された場合には、前記指定記録条件に含まれる記録速度を低下させる、記録を行わない、ユーザに記録の可否を問うのいずれかを実施させる記録処理手段
をさらに含む請求項５記載の光情報記録再生装置。
【請求項７】
前記記録可否判断手段の判断結果と前記記録処理手段の処理結果との少なくともいずれかを表示装置に表示させる手段
をさらに有する請求項６記載の光情報記録再生装置。
【請求項８】
処理結果と処理過程におけるデータとのうち少なくともいずれかをメモリ又は前記光情報記録媒体に保存する手段
をさらに有する請求項１乃至７のいずれか１つ記載の光情報記録再生装置。
【請求項９】
前記統計量についての基準値を予め格納するメモリ
をさらに有し、
前記条件決定手段が、
前記メモリに格納されている基準値に基づき、記録パワー条件と記録パルス条件とのうち少なくともいずれかを決定する
請求項１又は２記載の光情報記録再生装置。
【請求項１０】
光情報記録媒体に対して特定符号を含む符号を記録させると共に、前記光情報記録媒体から前記符号の再生を行わせた際に得られる前記符号の再生信号における、前記特定符号に係る再生信号の振幅の極大値又は極小値のいずれかであるピーク値の最大値及び最小値の差分量、もしくは前記ピーク値の分散、平均偏差又は標準偏差である統計量に対する基準値と、記録条件に関する情報とのうち少なくともいずれかが、前記光情報記録媒体に対するデータ記録に用いるために記録されている光情報記録媒体。
【請求項１１】
光情報記録媒体に対して特定符号を含む符号を記録させると共に、前記光情報記録媒体から前記符号の再生を行わせ、前記符号の再生信号から、前記特定符号に係る再生信号の振幅について極大値又は極小値のいずれかであるピーク値を測定する測定ステップと、
前記測定ステップにおいて得られた、同一又は異なる記録箇所における複数の前記ピーク値を用いて、前記ピーク値の最大値及び最小値の差分量、もしくは前記ピーク値の分散、平均偏差又は標準偏差である統計量を算出する統計量算出ステップと、
前記統計量を用いて記録パワー条件と記録パルス条件との少なくともいずれかを決定する条件決定ステップと、
を含む光情報記録処理方法。
【請求項１２】
前記条件決定ステップにおいて、
前記符号に含まれる所定の符号の振幅レベル値をさらに用いて、前記記録パワー条件と前記記録パルス条件との少なくともいずれかを決定する
請求項１１記載の光情報記録処理方法。
【請求項１３】
前記振幅レベル値が、
５Ｔ符号乃至最長符号のいずれかの符号に係る再生信号の振幅最大レベル値及び振幅最小レベル値であり、
前記条件決定ステップにおいて、
前記振幅最大レベル値及び前記振幅最小レベル値から、振幅レベルにおける位置関係を示すベータ値を算出し、
前記ベータ値及び前記統計量を用いて、記録パワー条件と記録パルス条件との少なくともいずれかを決定する
ことを特徴とする請求項１２記載の光情報記録処理方法。
【請求項１４】
前記振幅レベル値が、
２種類以上の所定の符号に係る再生信号の振幅最大レベル及び振幅最小レベルであり、
前記条件決定ステップにおいて、
前記振幅最大レベル値及び前記振幅最小レベル値から、振幅レベルにおける位置関係を示すアシンメトリ値を算出し、
前記アシンメトリ値及び前記統計量を用いて、記録パワー条件と記録パルス条件との少なくともいずれかを決定する
ことを特徴とする請求項１２記載の光情報記録処理方法。
【請求項１５】
前記条件決定ステップにおける処理結果と処理過程との少なくともいずれか、前記測定ステップにおける測定結果、及び前記統計量算出ステップにおいて算出された前記統計量の少なくともいずれかにより、指定記録条件で所定の記録品位が得られるか否かを判断する記録可否判断ステップ
をさらに含む請求項１１乃至１４のいずれか１つ記載の光情報記録処理方法。
【請求項１６】
前記記録可否判断ステップにおいて前記指定記録条件で前記所定の記録品位が得られないと判断された場合には、前記指定記録条件に含まれる記録速度を低下させる、記録を行わない、ユーザに記録の可否を問うのいずれかを実施させる記録処理ステップ
をさらに含む請求項１５記載の光情報記録処理方法。
【請求項１７】
前記記録可否判断ステップにおける判断結果と前記記録処理ステップの処理結果との少なくともいずれかを表示装置に表示させるステップ
をさらに含む請求項１６記載の光情報記録処理方法。
【請求項１８】
処理結果と処理過程におけるデータとのうち少なくともいずれかをメモリ又は前記光情報記録媒体に保存するステップ
をさらに含む請求項１１乃至１７のいずれか１つ記載の光情報記録処理方法。
【請求項１９】
前記条件決定ステップにおいて、
前記統計量についての基準値を予め格納するメモリに格納されている基準値に基づき、記録パワー条件と記録パルス条件とのうち少なくともいずれかを決定する
請求項１１又は１２記載の光情報記録処理方法。
【請求項２０】
請求項１１乃至１９のいずれか１つ記載の光情報記録処理方法をプロセッサに実行させるためのプログラム。
【請求項２１】
請求項２０記載のプログラムを格納するメモリを有する中央演算装置。
【発明の詳細な説明】
【技術分野】
【０００１】
本発明は、光情報記録媒体に対する記録条件の最適化技術に関する。
【背景技術】
【０００２】
光情報記録システムにおける記録品位は、光情報記録再生装置（以下、ドライブと呼ぶ）の特性、光情報記録媒体（以下、メディア又はディスクと呼ぶ）及び記録条件（記録速度、記録パワー、記録パルス、外乱影響等を含む）等によって決定されるものであり、当該記録品位は、記録されたデータを正確に再生できるレベルを満足する必要がある。
【０００３】
適切な記録品位を得るための記録条件最適化技術が従来から存在しており、例えば、記録パルス条件を予め設定された初期条件に固定し、記録パワー条件を変更した際における、記録再生信号の変化に基づき記録パワーを最適化する手法が一般的に知られている。さらに、最適な記録パワー条件における、記録再生信号のエラーレート測定値から記録パルスの補正を行い、記録パルス条件を最適化するといった手法も存在する。
【０００４】
また、記録再生信号から最適記録条件を決定する手法としては、記録再生信号のジッタ（Jitter）等の評価指標値が最小、最大又は所定のレベルを満足するように記録条件を選択する手法が知られている。
【０００５】
例えば、特開２００３−１５１２１９号公報には、再生信号サンプルの振幅値から再生信号を識別するものにおいて、適切な波形補正量を算出する技術が開示されている。具体的には、所定の再生信号、この再生信号の信号波形パターンに対応した第１のパターン、この第１のパターン以外であって再生信号の信号波形パターンに対応した第２のパターン、並びに第１及び第２のパターン以外であって再生信号の信号波形パターンに対応した第３のパターンを用いて、情報記録媒体に情報記録を行い又は記録情報の再生を行うものに利用される。この方法では、再生信号と第１のパターンとの間の第１距離Ｅ１と、再生信号と第２のパターンとの間の第２距離Ｅ２と、再生信号と第２のパターンとの間の第３距離Ｅ３とが求められる。次に、第１距離Ｅ１と第２距離Ｅ２との間の第１距離差Ｄ２＝Ｅ２−Ｅ１と、第１距離Ｅ１と第３距離Ｅ３との間の第２距離差Ｄ３＝Ｅ３−Ｅ１とが求められる。次に、複数の再生信号のサンプルについて、第１距離差Ｄ２の分布および第２距離差Ｄ３の分布が求められる。次に、求めた第１距離差Ｄ２の平均Ｍ２および求めた第１距離差Ｄ２の分布の標準偏差σ２と、求めた第２距離差Ｄ３の平均Ｍ３および求めた第２距離差Ｄ３の分布の標準偏差σ３とが求められる。次に、（σ２＊Ｍ３＋σ３＊Ｍ２）／（σ２＋σ３）の関係から記録補償パラメータが求められる。こうして求められた記録補償パラメータに基づいて、情報記録媒体に対する信号記録波形が補償される。本公報においては、記録条件における記録パルスの最適化がなされるだけである。
【０００６】
また、特開２００５−２１６４４６号公報には、書き込み可能な光ディスク及び光記録再生装置の特性ばらつきの影響を低減するための技術が開示されている。具体的には、記録情報に応じた記録条件に基づいて光変調記録を行うとともに記録された情報の再生を行う光記録再生装置の光記録条件設定方法において、最短の記録マークに対する記録パワーパラメータを変化させて、光記録媒体上に試し書きを行い、試し書きを再生し、再生信号品質の良くなる記録パワーパラメータを選択した後、記録マークに対する記録パルスパラメータに変化を加えて試し書きを行い、良好な再生信号品質（ジッタ、エラーレート）が得られる記録マークに対する記録パルスパワーパラメータを決定するものである。
【特許文献１】特開２００３−１５１２１９号公報
【特許文献２】特開２００５−２１６４４６号公報
【発明の開示】
【発明が解決しようとする課題】
【０００７】
しかし、従来の記録条件最適化手法においては、光記録システムを構成する１つ又は複数の要素（ドライブ、メディア等）の特性が極端に劣悪である場合、最適化された記録パワー及び記録パルス条件で記録を行った場合においても、記録品位が所定のレベルを満足できない可能性がある。また、複数の記録条件をそれぞれ最適化するためには、多大な調整時間、調整領域等を必要とする。
【０００８】
また、青色レーザを用いた高密度記録システムの符号識別方式として、ＰＲＭＬ（Partial Response and Maximum Likelihood）方式が採用されており、このＰＲＭＬ方式では記録パターンを再生して得られたＲＦ信号の振幅情報に基づいて符号識別が行われているため、高品位且つ安定した記録を実現するためには、従来とは異なる評価指標を用いた記録条件の設定が必要となる。
【０００９】
従って、本発明の目的は、高品位且つ安定した記録を実現するために新規の評価指標を導入することである。
【００１０】
また、本発明の他の目的は、新規の評価指標を導入してメディアに対する記録条件を最適化するための技術を提供することである。
【００１１】
さらに、本発明の他の目的は、新規の評価指標を導入してメディアに対する記録パワーを最適化するための技術を提供することである。
【００１２】
さらに、本発明の他の目的は、メディアに対する記録条件を最適化する際に新規の評価指標を導入して記録品位に影響の大きいパラメータを適切に最適化するための技術を提供することである。
【課題を解決するための手段】
【００１３】
本発明の第１の態様に係る光情報記録再生装置は、光情報記録媒体に対して特定符号（例えば２Ｔ（Ｔは単位時間）の符号）を含む符号を記録させると共に、光情報記録媒体から上記符号の再生を行わせ、上記符号の再生信号から、特定符号に係る再生信号の振幅について極大値又は極小値のいずれかであるピーク値を測定する測定手段と、測定手段により得られた、同一又は異なる記録箇所における複数の上記ピーク値を用いて、予め定められた統計量を算出する統計量算出手段とを有する。
【００１４】
本願の発明者は、新規の評価指標として上記ピーク値及びその統計量が、光情報記録再生装置の評価や以下で述べる記録条件の設定などに有用であることに非自明に着想し、上記構成を採用するものである。
【００１５】
また、本発明の第１の態様において、上記統計量を用いて記録パワー条件と記録パルス条件との少なくともいずれかを決定する条件決定手段をさらに有するようにしてもよい。このようにすれば記録パワー条件や記録パルス条件を適切に調整して最適な記録を実現することができるようになる。なお、記録パワー条件を決定する場合には、記録パルス条件（最終パルス及び中間パルスを含む）や位相ずれなどの調整をより適切に行うことができるようになる。
【００１６】
さらに、本発明の第１の態様において、上記統計量と、上記符号に含まれる所定の符号の振幅レベル値とを用いて、記録パワー条件と記録パルス条件との少なくともいずれかを決定する条件決定手段をさらに有するようにしてもよい。より適切な記録条件を設定できるようになる。
【００１７】
また、上で述べた振幅レベル値が、５Ｔ（Ｔは単位時間）符号乃至最長符号のいずれかの符号に係る再生信号の振幅最大レベル値及び振幅最小レベル値である場合もある。その際には、条件決定手段は、振幅最大レベル値及び振幅最小レベル値から、振幅レベルにおける位置関係を示すベータ値を算出し、当該ベータ値及び上記統計量を用いて、パワー条件と記録パルス条件との少なくともいずれかを決定するようにしてもよい。
【００１８】
また、上で述べた振幅レベル値が、２種類以上の所定の符号に係る再生信号の振幅最大レベル及び振幅最小レベルである場合もある。その際には、条件決定手段が、振幅最大レベル値及び振幅最小レベル値から、振幅レベルにおける位置関係を示すアシンメトリ値を算出し、アシンメトリ値及び統計量を用いて、記録パワー条件と記録パルス条件との少なくともいずれかを決定するようにしてもよい。
【００１９】
また、本発明の第１の態様において、条件決定手段による処理結果と処理過程との少なくともいずれか、測定手段による測定結果、及び統計量算出手段により算出された統計量の少なくともいずれかにより、指定記録条件で所定の記録品位が得られるか否かを判断する記録可否判断手段をさらに含むようにしてもよい。
【００２０】
そして、本発明の第１の態様において、記録可否判断手段により指定記録条件で所定の記録品位が得られないと判断された場合には、指定記録条件に含まれる記録速度を低下させる、記録を行わない、ユーザに記録の可否を問うのいずれかを実施させる記録処理手段をさらに含むようにしてもよい。記録時に適切な対処を行うことができるようになる。
【００２１】
さらに、本発明の第１の態様において、記録可否判断手段の判断結果と記録処理手段の処理結果との少なくともいずれかを表示装置に表示させる手段をさらに有するようにしてもよい。このようにユーザに通知することによって、ユーザは状況を的確に把握することができるようになる。
【００２２】
また、本発明の第１の態様において、処理結果と処理過程におけるデータとのうち少なくともいずれかをメモリ又は上記光情報記録媒体に保存する手段をさらに有するようにしてもよい。このようなデータを保持しておくことによって後の処理において適切な記録条件を設定できるようになる。また、処理の一部を省略することによって迅速な記録条件を設定できるようになる。
【００２３】
さらに、本発明の第１の態様において、統計量についての基準値（例えば目標値、上限値、下限値など）を予め格納するメモリをさらに有するようにしてもよい。その際には、条件決定手段が、メモリに格納されている基準値に基づき、パワー条件と記録パルス条件とのうち少なくともいずれかを決定するようにしてもよい。これによって、適切な記録条件となっているかどうかなどを判断できるようになる。
【００２４】
本発明の第２の態様に係る光情報記録媒体は、当該光情報記録媒体に対して特定符号を含む符号を記録させると共に、当該光情報記録媒体から上記符号の再生を行わせた際に得られる上記符号の再生信号における、特定符号に係る再生信号の振幅の極大値又は極小値のいずれかであるピーク値の統計量に対する基準値と、記録条件に関する情報（例えば記録条件の調整量又は推奨値など）とのうち少なくともいずれかが、光情報記録媒体に対するデータ記録に用いるために記録されているものである。このように個別の光情報記録媒体、または同一種類の光情報記録媒体に則したデータの記録が適切に行われるようにするものである。
【００２５】
本発明の第３の態様に係る光情報記録処理方法は、光情報記録媒体に対して特定符号を含む符号を記録させると共に、光情報記録媒体から上記符号の再生を行わせ、上記符号の再生信号から、特定符号に係る再生信号の振幅について極大値又は極小値のいずれかであるピーク値を測定する測定ステップと、測定ステップにおいて得られた、同一又は異なる記録箇所における複数の上記ピーク値を用いて、予め定められた統計量を算出する統計量算出ステップとを含む。
【００２６】
本発明の第１の態様に係る光情報記録再生装置についてのバリエーションは、本発明の第３の態様に係る光情報記録処理方法にも適用可能である。
【００２７】
なお、本光情報記録処理方法をコンピュータに実行させるためのプログラムを作成することができ、このプログラムは、例えばフレキシブルディスク、ＣＤ−ＲＯＭ、光磁気ディスク、半導体メモリ、ハードディスク等の記憶媒体又は記憶装置、メモリを有する中央演算装置に格納される。また、ネットワークなどを介してデジタル信号として配信される場合もある。尚、中間的な処理結果は各種装置のワークメモリ領域などに一時保管される。
【発明の効果】
【００２８】
以上述べたように本発明によれば、高品位且つ安定した記録を実現するために非自明な新規の評価指標が用いられるようになる。
【００２９】
また、本発明の他の側面として、新規の評価指標を導入してメディアに対する記録条件を最適化することができるようになる。
【００３０】
さらに本発明の他の側面として、新規の評価指標を導入してメディアに対する記録パワーを最適化することができるようになる。
【００３１】
さらに本発明の他の側面として、メディアに対する記録条件を最適化する際に新規の評価指標を導入して他の調整すべきパラメータに影響の大きいパラメータを適切に最適化することができるようになる。
【発明を実施するための最良の形態】
【００３２】
［本発明の実施の形態における前提］
本発明の実施の形態において用いる記録パルスの構成例を図１を用いて説明する。本発明の実施の形態では、複数のパルスパターンで構成されたマルチパルス方式を用いる例を示す。図１に示すように、記録パルス１０は、先頭に配置されたトップパルス１２と、それに続く後続パルス１４とで構成される。また、後続パルス１４は、トップパルス１２に続く中間パルス１５と、記録パルス１０の最後尾に配置された最終パルス１６とを備える。
【００３３】
ここで、記録パルス１０の長さをｎＴとすると、トップパルス１２はｍＴの長さを有し、後続パルス１４は（ｎ−ｍ）Ｔの長さを有する。本発明の実施の形態では、ｍ＝２、ｎ＝２乃至１１の値をとるものとする。Ｔは光ディスクシステムにて定義された単位時間であり、その周期はクロック信号によって決定される。
【００３４】
記録パルス１０の条件は、ドライブに書き込み可能なメディアを装填した状態でテスト記録を行うことによって決定される。
【００３５】
ここで、メインパワーＰＷが示す高さで記録パルス全体のエネルギー量が規定され、トップパルス幅Ｔtopが示す長さで記録マーク先端に与える初段のエネルギー量が規定される。このメインパワーＰＷは、記録パルス１０の中で最も高い値とすることが望ましく、トップパルスの幅Ｔtopは、２Ｔの長さを有する最短記録マークに対応した幅を有する。この最短幅の記録パルスが最も出現確率が高く、記録品位への影響が大きいことが分かっている。従って、まずはトップパルス１２のパワーＰＷや幅Ｔtopの最適条件を確定させることが好ましい。
【００３６】
中間パルス１５の条件としては、トップパルス１２と最終パルス１６との間に位置する中間パルス１５の幅Ｔmpを規定するか、または、Ｔmpと中間パルス間の間隔Ｔsmpのデューティー比を規定することで、記録マークが涙型になることを防止する。
【００３７】
最終パルス１６の条件は、記録パルス１０の最後尾に配置される最終パルス１６の幅Ｔlastを調整することで決定される。これら中間パルス１５と最終パルス１６とで構成される後続パルスの条件決定は、トップパルスの条件を基準として行われる。
【００３８】
次に、図２を用いて記録パルスの条件を決定する手順について説明する。ここでは複数種類の符号を含む記録パターンを用いてテスト記録を行い、その結果に基づいて記録条件を決定する手法の一例を示すものである。まず最初に、例えばトップパルス１２についてパワー条件を決定する（ステップＳ１００）。トップパルス１２のみで構成される２Ｔの長さを有する符号のパワー条件を設定することによって、記録パルス１０全体のパワー条件が設定される。本ステップについては、本発明の実施の形態における主要な処理となるので、以下で詳しく述べる。
【００３９】
その後、ステップＳ１００で決定したパワー条件を利用してテスト記録を行うことにより、最終パルス１６の記録条件を決定する（ステップＳ２００）。この最終パルスの条件設定は、トップパルス１２と中間パルス１５の条件を所定の条件に固定した状態で最終パルスの幅を調整することにより行われる。本実施の形態では、３Ｔ以上の長さを有する符号が最終パルス１６を利用するため、それらの符号が調整される。この最終パルスを調整するため、例えば、最短符号である２Ｔの振幅値と、次に短い符号である３Ｔの振幅値との非対称性を示すアシンメトリ２Ｔ３Ｔの値が０などの適切な値になる条件を求める。但し、エラーレートが最小となる条件を求めても良い。
【００４０】
その後、ステップＳ１００で求めたパワー条件とステップＳ２００で求めた最終パルスとを利用してテスト記録を行うことにより、中間パルスの記録条件を決定する（ステップＳ３００）。この中間パルスの条件設定は、中間パルスを構成する分割パルスの幅を調整することで行われる。本実施の形態では、４Ｔ以上の長さを有する符号が中間パルス１５を利用するため、それらの符号が調整される。この中間パルスを調整するため、例えば最短符号である２Ｔの振幅値と、最長符号である１１Ｔの振幅値との非対称性を示すアシンメトリ２Ｔ１１Ｔの値が０などの適切な値となる条件を求める。但し、エラーレートが０などの適切な値となる条件を求めても良い。
【００４１】
以上のステップＳ１００乃至Ｓ３００を実行することにより記録パターンに含まれる各記録パルスの条件が決まるため、この決定された記録パルスの条件に従ってさらにテスト記録を行うことで、必要な記録パルスの位相ずれ補正を行う（ステップＳ４００）。この位相ずれ補正は、補正対象となる記録パルスの開始位置と終了位置とを調整することで行われる。補正対象となる記録パルスは、複数種類の記録パターンを用いたテスト記録により特定される。なお、位相ずれ補正の指標としては、アシンメトリ値を用いても、エラーレートを用いても良い。
【００４２】
このような記録パルスの条件を決定する手順を実施することにより、適切な記録品位を保持しつつドライブにおいてメディアに対してデータ記録を行うことができるようになる。
【００４３】
［本発明の実施の形態におけるパワー条件設定］
１．本発明の実施の形態におけるドライブ構成
次に、本発明の実施の形態におけるドライブ・システムの機能ブロック図を図３を用いて説明する。本発明の実施の形態に係るドライブ・システムは、光情報記録再生装置１００と、テレビ受像器などの表示部１３１とリモートコントローラなどの操作部１３２とを含む入出力システム１３０とを含む。
【００４４】
光情報記録再生装置１００は、処理途中のデータ、処理結果のデータ、処理における参照データなどを格納するメモリ１２７と、以下で説明する処理を行わせるためのプログラムが記録されるメモリ回路１２６を含むＣＰＵ（中央演算装置：Central Processing Unit）１２５と、入出力システム１３０とのインターフェースであるインターフェース部（Ｉ／Ｆ）１２８と、再生信号であるＲＦ信号のピーク値等を検出する特性値検出部１２４と、再生信号であるＲＦ信号から２Ｔ乃至１１Ｔ符号のいずれが読み出されたかを復号するための処理などを行うスライサ１２２及びデータ復調回路１２３と、ピックアップ部１１０と、レーザ・ダイオード（ＬＤ）ドライバ１２１と、図示しないディスク１５０の回転制御部及びモータ並びにピックアップ部１１０用のサーボ制御部等を含む。
【００４５】
また、ピックアップ部１１０は、対物レンズ１１４と、ビームスプリッタ１１６と、検出レンズ１１５と、コリメートレンズ１１３と、レーザ・ダイオード（ＬＤ）１１１と、フォトディテクタ（ＰＤ）１１２とを含む。ピックアップ部１１０では、図示しないサーボ制御部の制御に応じて図示しないアクチュエータが動作し、フォーカス及びトラッキングが行われる。
【００４６】
ＣＰＵ１２５は、メモリ１２７、特性値検出部１２４、Ｉ／Ｆ１２８、ＬＤドライバ１２１、図示しない回転制御部及びサーボ制御部などに接続されている。また、特性値検出部１２４は、ＰＤ１１２、ＣＰＵ１２５などに接続されている。ＬＤドライバ１２１は、ＣＰＵ１２５及びＬＤ１１１に接続されている。ＣＰＵ１２５は、Ｉ／Ｆ１２８を介して入出力システム１３０にも接続されている。
【００４７】
次に、ディスク１５０に対してデータを記録する場合における処理の概要を説明する。まず、ＣＰＵ１２５又は別途設けられているデータ変調回路（図示せず）は、ディスク１５０に書き込むためのデータに対して例えばＥＴＭ方式による変調処理などを実施し、変調処理後のデータをＬＤドライバ１２１に出力する。ＬＤドライバ１２１は、指定の記録条件に従って、受信したデータでＬＤ１１１を駆動してレーザ光を出力させる。レーザ光は、コリメートレンズ１１３、ビームスプリッタ１１６、対物レンズ１１４を介してディスク１５０に照射され、ディスク１５０にランドとピットを形成する。
【００４８】
また、ディスク１５０に記録されたデータを再生する場合における処理の概要を説明する。ＣＰＵ１２５からの指示に従ってＬＤドライバ１２１は、ＬＤ１１１を駆動してレーザ光を出力させる。レーザ光は、コリメートレンズ１１３、ビームスプリッタ１１６、対物レンズ１１４を介してディスク１５０に照射される。ディスク１５０からの反射光は、対物レンズ１１４、ビームスプリッタ１１６、検出レンズ１１５を介してＰＤ１１２に入力される。ＰＤ１１２は、ディスク１５０からの反射光を電気信号に変換し、特性値検出部１２４及びスライサ１２２等に出力する。スライサ１２２及びデータ復調回路１２３等は、出力された再生信号に対して所定の復号処理を行い、復号されたデータをＣＰＵ１２５及びＩ／Ｆ１２８を介して、入出力システム１３０の表示部１３１に出力して、再生データを表示させる。特性値検出部１２４は、通常の再生では用いられないので、その動作については以下で説明する。
【００４９】
２．第１の実施の形態におけるパワー条件設定処理
次に、本発明の第１の実施の形態における処理を図４乃至図９を用いて説明する。まず、ＣＰＵ１２５は、例えばメモリ１２７に格納されている指定のテスト記録条件を読み出し、ＬＤドライバ１２１に当該指定のテスト記録条件を設定する（ステップＳ１０１）。テスト記録条件には、パワー条件も含まれる。また、ＣＰＵ１２５は、ＬＤドライバ１２１にディスク１５０へのテスト記録を実施させる（ステップＳ１０３）。このテスト記録における記録パルス形状は、パルストレイン形のマルチパルスとする。但し、簡易形状のノンマルチパルスであってもよい。また、記録パターンは、ランダムパターンであってもよいし、テスト記録用の特定パターンであってもよい。なお、２Ｔの符号については、以下で用いるために記録パターンに含まれる。テスト記録用の特定パターンは、以下の処理で用いられる符号等を組み合わせて構成される。また、テスト記録用の特定パターンについては、１箇所に記録する場合もあれば、異なる複数の箇所に複数回記録する場合もある。
【００５０】
次に、ＣＰＵ１２５は、記録条件の評価及び補正に必要な評価パラメータの検出処理を行う（ステップＳ１０５）。具体的には、ＣＰＵ１２５は、ＬＤドライバ１２１に記録データの再生を指示し、ＬＤドライバ１２１は再生強度でＬＤ１１１にディスク１５０に対するレーザ光の照射を行わせる。レーザ光は、コリメートレンズ１１３、ビームスプリッタ１１６、対物レンズ１１４を介してディスク１５０に照射される。ディスク１５０からの反射光は、対物レンズ１１４、ビームスプリッタ１１６、検出レンズ１１５を介してＰＤ１１２に入力される。ＰＤ１１２は、ディスク１５０からの反射光を電気信号に変換し、ＲＦ信号として特性値検出部１２４に出力する。特性値検出部１２４は、ＲＦ信号から振幅のピーク値を検出し、ＣＰＵ１２５に出力する。また、スライサ１２２及びデータ復調回路１２３は、入力されたＲＦ信号に対応する２Ｔ符号乃至１１Ｔ符号のいずれかを特定し、特定した符号データをＣＰＵ１２５に出力する。ＣＰＵ１２５は、振幅のピーク値とそのピーク値に係る符号とを対応付けて、例えばメモリ１２７に保持する。
【００５１】
ステップＳ１０５については、ステップＳ１０３における記録動作の終了後に、ステップＳ１０３における記録パターンの記録箇所にアドレスして実行するようにしてもよい。また、ステップＳ１０３の実行中にメインのレーザスポット又は後続のサブスポットを用いて同時に行ってもよい。異なる複数の箇所に記録している場合には、それらを例えば１回再生し、一箇所にしか記録していない場合には所定回数その箇所を再生する。
【００５２】
本実施の形態における評価パラメータは、再生信号であるＲＦ信号において、２Ｔ乃至１１Ｔ（例えばＥＴＭ方式による変調を行った場合）の符号のうち必要となる特定符号（例えば２Ｔ符号）の振幅のピーク値及びその統計量（特に最大値及び最小値並びにその差分量）である。ここで振幅のピーク値について説明しておく。
【００５３】
図５に、特定の単一符号（例えば５Ｔ）の連続パターンを記録した際の再生信号ａ（ＲＦ信号）の概念図を示す。図５の縦軸はピーク値［Ｖ］を表し、横軸は時間を表す。本実施の形態では、再生信号の振幅が極大（凸）となる振幅値と、振幅が極小（凹）となる振幅値とのいずれか一方を、振幅のピーク値とする。
【００５４】
このような再生信号の振幅のピーク値は、図５に示すように必ずしも一定値とはならない。特に上で述べたような単一符号の連続パターンではなく、複数の符号を含む記録パターンで記録した際の再生信号においては、前後の符号パターンの影響を受けて振幅のピーク値は変動しやすい。さらには、データ記録を行うディスク１５０に対して、照射するレーザ光の照射パワーが最適量から過剰となる又は不足することによっても、記録を行う際の熱の挙動や分布が均一になりにくく、振幅のピーク値の変化(変動)要因となり得る。
【００５５】
なお、図５においては説明の都合で単一符号の連続パターンを記録した際の再生信号を示したが、本実施の形態は、実際のデータ記録と同様に複数の符号を含む記録パターン（例えばランダムパターン、又は多数の符号を予め定められた順番で並べたパターン）で記録した場合にも問題なく対処でき、その際には複数の符号を含むパターンの中から、振幅のピーク値を求めたい特定の符号に係る再生信号を検出し、当該検出再生信号より、振幅のピーク値を特定する。
【００５６】
さらに、本実施の形態では、振幅のピーク値の最大値と最小値の差分量を算出する。図６に示すように、特定符号（例えば２Ｔ）に係る再生信号の振幅のピーク値を並べてみるとばらつきがあり、そのピーク値の中で最大値及び最小値を検出し、その差分量を算出する。
【００５７】
また、従来から評価パラメータとして用いられており、各符号の振幅レベルの位置関係を表すアシンメトリ値を振幅のピーク値の差分量に加えて特定するようにしてもよい。図７には、２Ｔ符号、３Ｔ符号、１１Ｔ符号のＲＦ信号をＤＣカップルした際の振幅レベル（それぞれＩ２，Ｉ３，Ｉ１１）を示している。例えば、２Ｔ１１Ｔのアシンメトリ値を算出する。但し、２Ｔ１１Ｔのアシンメトリ値に限定するものではなく、他のアシンメトリ値を算出するようにしてもよい。なお、アシンメトリ値については従来から知られているので、この計算方法などについてはここでは説明しない。
【００５８】
さらに、５Ｔ符号から１１Ｔ符号のいずれかの符号に係る再生信号の振幅最大レベル値及び振幅最小レベル値から、振幅レベルにおける位置関係を示すベータ値を算出し、このベータ値を振幅のピーク値の差分量に加えて特定するようにしてもよい。なお、ベータ値については従来から知られているので、この計算方法などについてはここでは説明しない。
【００５９】
次に、ＣＰＵ１２５は、メモリ１２７に格納されている参照データに基づき、記録条件（ここではパワー条件）を調整すべきか判断する（ステップＳ１０７）。参照データは、例えば振幅のピーク値の差分量に対するターゲット値（例えば上限値。但し、下限値を設定しても良い。）である。例えば図８に、ステップＳ１０３において採用した記録条件としての記録パワーとステップＳ１０５において特定された差分量（検出値）とを、縦軸が差分量で横軸が記録パワーを表すグラフにプロットした場合を示す。図８において、差分量についての上限値たるターゲット値を表す直線も示されており、この直線より下にプロットされていれば、最適か否かは分からないが、差分量についての条件を満たしていることになる。すなわち、ステップＳ１０３において採用した記録条件としての記録パワーは、適切であると判断できる。一方、図８に示すように、上限値たるターゲット値を表す直線より上にプロットされていれば、ステップＳ１０３において採用した記録条件として記録パワーは、不適切であると判断される。
【００６０】
なお、本ステップにおいては、ステップＳ１０５において算出されるアシンメトリ値又はベータ値を用いて調整の要否を判断しても良い。
【００６１】
従って、記録パワーが不適切である場合には、ＣＰＵ１２５は、参照データを基に記録条件の補正量を決定する（ステップＳ１０９）。
【００６２】
図８で述べたような状態の場合には、例えば図９に示すような記録パワーとアシンメトリ値（例えば２Ｔ１１Ｔのアシンメトリ値）との関係（ここでは直線ｃ）を予め参照データとしてメモリ１２７に保持しておき、例えばステップＳ１０３において採用した記録条件としての記録パワーＰＷ１とステップＳ１０５において特定された差分量との関係と直線ｃとに基づき、アシンメトリ値を例えば０にすると予測される記録パワー値ＰＷ２を特定し、ステップＳ１０３において採用した記録条件としての記録パワーＰＷ１との差をパワー調整量として特定する。なお、実際に予測のとおり差分量が減少するかについては、ステップＳ１０１乃至Ｓ１０５を実施して確認する。また、アシンメトリ値についての例を示したが、ベータ値を用いて調整するようにしても良い。
【００６３】
また、例えば図８の曲線ｂのような記録パワーの変化に対する差分量の変化傾向を表すデータを参考データとして保持しておき、曲線ｂに従って差分量が最小となる記録パワーとステップＳ１０３において採用した記録条件としての記録パワーとの差をパワー調整量として特定する。なお、通常曲線ｂは一意には決まらないので、とりあえず曲線ｂとしてパワー調整量を特定した後、再度ステップＳ１０１乃至ステップＳ１０５を実施して、２番目以降の検出値を得た段階で、再度曲線ｂを特定するようにしても良い。いずれの場合においても、実際に差分量が減少しているかについては、ステップＳ１０１乃至Ｓ１０５を実施して確認した方がよい。
【００６４】
また、ターゲット値を下回る差分量が特定された場合であっても、より差分量を少なくする記録パワーの値を特定するためにパワー調整量を算出するようにしても良い。すなわち、ステップＳ１０７では、ターゲット値を下回るか否かだけではなく、より差分量を低くする必要があるかを基準に判断しても良い。また、ステップＳ１０９の実行回数をカウントして、所定の制限回数行っても差分量がターゲット値以下にならない場合にはこれ以上処理は行わないものとして判断する。また例えば、最初のステップＳ１０５の実行において得られた差分量が上で述べたターゲット値とは異なるもう一つのエラー判断用の基準値を超えている場合には、この場合もこれ以上の処理を行わないものとして判断する。
【００６５】
さらに、最低２回ステップＳ１０１乃至１０５を実行した上で、図８の曲線ｂ又は図９の直線ｃを特定し、パワー調整量を予測するようにしても良い。
【００６６】
ステップＳ１０９で記録条件の補正量が決定されると、ステップＳ１０１に戻ってステップＳ１０９において決定された記録条件の補正量（本実施の形態においてはパワー調整量）をテスト記録条件に反映させて、ステップＳ１０１乃至Ｓ１０９を実行する。
【００６７】
一方ステップＳ１０７において記録条件を調整する必要がないと判断された場合には、ＣＰＵ１２５は、ディスク１５０に対する記録の可否を判断する（ステップＳ１１１）。本ステップでは、振幅のピーク値の差分量、パワー調整量などが、メモリ１２７に格納されている記録可否判断の基準値（範囲を規定する場合には上限値及び下限値）と比較して、所定基準以上の十分な記録品位を得られるか否かを判断する。記録可否判断の基準値を複数設け、指定の記録速度で記録可、指定の記録速度より低速で記録可、記録不可のいずれかを特定できるようにしても良いし、指定の記録速度で記録できない場合に、例えば「指定の記録速度より低速で記録」又は「記録中止」のいずれかを選択するように、Ｉ／Ｆ１２８を介して表示部１３１に表示を行い、操作部１３２からの選択指示をＩ／Ｆ１２８を介して受信するようにしても良い。なお、データ記録に要するトータル時間などを表示してユーザの選択を補助するようにしても良い。低速記録のレベル分けを行うようにしても良い。その場合には、レベルに応じた基準値を設けておき、その基準値との比較で判断する。
【００６８】
なお、本ステップにおける判断は、上で述べたパラメータだけではなく、他のパラメータを基準に行うようにしても良い。
【００６９】
そして、記録停止と判断されると（ステップＳ１２１：Ｙｅｓルート）、ステップＳ１２９に移行する。記録停止ではなく（ステップＳ１２１：Ｎｏルート）、指定の記録速度より低速で記録すると判断された場合には（ステップＳ１２３：Ｙｅｓルート）、ステップＳ１１１で決定されたレベルの速度又は予め低速として決められている速度で、データの記録を実施する（ステップＳ１２５）。通常のデータの記録処理については従来と同様であるからこれ以上の説明は省略する。そして処理はステップＳ１２９に移行する。
【００７０】
本実施の形態では、ステップＳ１２３において低速記録を行わない場合には（ステップＳ１２３：Ｎｏルート）、指定の記録速度でデータ記録処理を行う（ステップＳ１２７）。この処理についても通常と同じであるからこれ以上の説明は省略する。そして処理はステップＳ１２９に移行する。
【００７１】
記録中止又は何らかの速度で記録を行った後に、ＣＰＵ１２５は、Ｉ／Ｆ１２８を介して表示部１３１に、所定の情報を表示し、さらにメモリ１２７に所定の履歴データを格納する（ステップＳ１２９）。例えば、メディアＩＤ、記録速度などの判断結果、調整内容、処理結果その他上で特定された情報を表示部１３１に表示する。これによってユーザは、どのような記録が行われたか、またディスク１５０に対して多くのパワー調整が必要であったのか否かなどの情報を得ることができ、例えばディスク１５０の選択の目安にすることができるようになる。また、メディアＩＤ、記録速度などの判断結果、調整内容、処理結果その他上で特定された情報など、後の記録及び調整処理を効率化するために必要なデータについては、メモリ１２７に格納しておく。
【００７２】
このようにメモリ１２７に格納しておけば、同じメディアＩＤであれば過去の差分量の平均などをそのまま用いてしまって、差分量の算出処理を省略することが可能となる。また、パワー調整量の履歴から、同一のメディアＩＤであれば、過去のパワー調整量の平均値などを基準に記録条件を設定するようにしても、テスト記録の回数を減ずることができる。このような機能をＣＰＵ１２５で実現させても良い。
【００７３】
また、メモリ１２７の代わりに又はメモリ１２７に加えて、ディスク１５０に上記のようなデータを保存するようにしても良い。ディスク１５０に保存する場合には、例えば光情報記録再生装置１００のＩＤなどを上で述べたメモリ１２７に対する保存データにおけるメディアＩＤに代わって保存しておく。そうすれば、追記型のディスク１５０等の場合には、ディスク１５０に格納されている光情報記録再生装置１００のＩＤと同じ光情報記録再生装置１００によってデータ記録を再度行う場合には、ディスク１５０に格納された記録関連データを用いて、記録及び調整処理を効率化することができるようになる。
【００７４】
以上のような処理を実施することにより、記録条件に含まれる記録パワーの調整を適切に行うことができるようになる。そして、実際のデータ記録に先立って（又はデータ記録の途中において）記録状態を評価し、その評価結果に応じて必要な記録条件の調整を行うことができ、ユーザが大切なデータを安心して記録できるようになる。
【００７５】
なお、ステップＳ１１１乃至ステップＳ１２９については、記録パワー以外の他の調整（例えば図２のステップＳ２００乃至Ｓ４００）を行ってから実施する。当然記録パワーのみの調整で済ませる場合には、そのままステップＳ１１１乃至ステップＳ１２９も実施すればよい。
【００７６】
また、上で述べた振幅のピーク値をベースとした処理は、記録パワーの調整だけではなく、記録パルスの調整にも適用可能である。例えば記録パルスの幅を少しずつ変えてテスト記録を行った際に、振幅のピーク値の差分量又は分散などの統計量が適切である場合の記録パルス幅を採用することも可能である。
【００７７】
なお、本実施の形態では、光情報記録再生装置１００において全ての処理を実施するような例を示しているが、例えばステップＳ１０５までを光情報記録再生装置１００内において実施し、他の処理については別の装置にて行う場合、又は光情報記録再生装置１００の評価のためにステップＳ１０５の結果のみを利用する場合もある。
【００７８】
さらに、振幅のピーク値については、極大値と極小値とのいずれかを用いる例を示しているが、両方を用いるようにしても良い。例えば極大値における最大値と極小値における最小値との中間値を基準に差の絶対値をピーク値と同様に取り扱うようにしても良い。さらに、極大値の統計値と極小値の統計値との平均値、極大値及び極小値の統計値の平均値などを用いるようにしても良い。この点については以下の実施の形態でも同じである。
【００７９】
３．第２の実施の形態におけるパワー条件設定処理
次に、図４に代わる別の処理にて記録条件に含まれるパワー条件を設定する例を図１０乃至図１３を用いて説明する。
【００８０】
本実施の形態では、振幅のピーク値の差分量に代わって振幅のピーク値の分散をベースに処理を行う例である。
【００８１】
まず、ＣＰＵ１２５は、例えばメモリ１２７に格納されている指定のテスト記録条件（パワー条件を含む）を読み出し、ＬＤドライバ１２１に当該指定のテスト記録条件を設定する（ステップＳ１５１）。本ステップは繰り返し実施されるので、メモリ１２７に格納されている指定のテスト記録条件だけではなく、テスト途中で例えば想定している範囲では良好な結果を得られない場合などにテスト記録条件が指定又は追加される場合もある。また、ＣＰＵ１２５は、ＬＤドライバ１２１にディスク１５０へのテスト記録を実施させる（ステップＳ１５３）。このテスト記録における記録パルス形状は、パルストレイン形のマルチパルスとする。但し、簡易形状のノンマルチパルスであってもよい。また、記録パターンには、ランダムパターンであってもよいし、テスト記録用の特定パターンであってもよい。なお、２Ｔの符号については、以下で用いるために記録パターンに含まれる。テスト記録用の特定パターンは、以下の処理で用いられる符号等を組み合わせて構成される。また、本実施の形態では、パワー条件を変更した複数の記録条件でテスト記録を行う必要があるため、ステップＳ１５１及びＳ１５３は記録条件の種類数に応じて繰り返される。
【００８２】
次に、ＣＰＵ１２５は、記録条件の評価及び補正に必要な評価パラメータの検出処理を行う（ステップＳ１５５）。具体的には、ＣＰＵ１２５は、ＬＤドライバ１２１に記録データの再生を指示し、ＬＤドライバ１２１は再生強度でＬＤ１１１にディスク１５０に対するレーザ光の照射を行わせる。レーザ光は、コリメートレンズ１１３、ビームスプリッタ１１６、対物レンズ１１４を介してディスク１５０に照射される。ディスク１５０からの反射光は、対物レンズ１１４、ビームスプリッタ１１６、検出レンズ１１５を介してＰＤ１１２に入力される。ＰＤ１１２は、ディスク１５０からの反射光を電気信号に変換し、ＲＦ信号として特性値検出部１２４に出力する。特性値検出部１２４は、ＲＦ信号から振幅のピーク値を検出し、ＣＰＵ１２５に出力する。また、スライサ１２２及びデータ復調回路１２３は、入力されたＲＦ信号に対応する２Ｔ符号乃至１１Ｔ符号のいずれかを特定し、特定した符号データをＣＰＵ１２５に出力する。ＣＰＵ１２５は、振幅のピーク値とそのピーク値に係る符号とを対応付けて、例えばメモリ１２７に保持する。
【００８３】
本ステップは、ステップＳ１５３による記録動作終了後に、ステップＳ１５３における記録パターンの記録箇所にアドレスして実行する。但し、ステップＳ１５３（記録）と本ステップＳ１５５（再生）の順番は、「記録−＞再生−＞記録−＞再生−＞記録−＞再生−＞再生・・・」のように交互に繰り返してもよいし、「記録−＞記録−＞記録−＞再生・・・」のように連続してステップＳ１５３を実行した後にまとめてステップＳ１５５を実行しても良い。
【００８４】
本実施の形態における評価パラメータは、再生信号であるＲＦ信号において、２Ｔ乃至１１Ｔ（例えばＥＴＭ方式による変調を行った場合）の符号のうち必要となる特定符号（例えば２Ｔ符号）の振幅のピーク値及びその統計量（特に分散、平均偏差（偏差の絶対値の平均）、標準偏差など）等である。振幅のピーク値の特定については第１の実施の形態と同様である。
【００８５】
そして、本実施の形態では、振幅のピーク値及びその統計量等の分散などを算出する。図１１に示すように、記録パワーを含む記録条件が同一であっても、特定符号（例えば２Ｔ）に係る再生信号の振幅のピーク値及びその統計量等の発生頻度をみるとばらつきがあり、分散、平均偏差などのばらつきに応じた値を算出する。この分散などの値については、各記録条件（具体的には記録パワーのテスト値毎）につき算出する。
【００８６】
また、従来から評価パラメータとして用いられており、各符号の振幅レベルの位置関係を表すアシンメトリ値を振幅のピーク値の分散等に加えて特定するようにしても良い。例えば、２Ｔ１１Ｔのアシンメトリ値を算出する。但し、２Ｔ１１Ｔのアシンメトリ値に限定するものではなく、他のアシンメトリ値を算出するようにしてもよい。
【００８７】
さらに、５Ｔ符号から１１Ｔ符号のいずれかの符号に係る再生信号の振幅最大レベル値及び振幅最小レベル値から、振幅レベルにおける位置関係を示すベータ値を算出し、このベータ値を振幅のピーク値及びその統計量等に加えて特定するようにしてもよい。
【００８８】
次に、ＣＰＵ１２５は、記録条件としての記録パワーを決定する（ステップＳ１５７）。具体的には、図１２に示すように、各テスト記録時の記録パワーとその時の分散の値を、横軸が記録パワーで縦軸が分散であるグラフにプロットすると、曲線ｄで表されるような記録パワーと分散との関係を表す曲線が得られる。ここで、ターゲット値を下回り且つ分散が最小となる記録パワーの値を特定する。曲線を得ずとも、ターゲット値を下回り且つプロットされた点において分散が最小となる記録パワーの値を特定しても良い。なお、一度に図１２のグラフに示すような点がプロットされなくとも良い。ステップＳ１５１乃至Ｓ１５３を複数回実施して、徐々に分散が最小となる記録パワーの値を特定するようにしても良い。
【００８９】
例えばアシンメトリ値についてもステップＳ１５５で算出するようにすれば、図１３に示すように、横軸が記録パワーで縦軸がアシンメトリ値を表すグラフにおいて、記録パワーとアシンメトリ値との関係を表す直線ｆが得られる。図１３では多数の点がプロットされているが、例えば最初に２点プロットできるだけのテスト記録を実施し、それらをつなぐことによって、アシンメトリ値の予測直線を生成する。その後、当該アシンメトリ値の予測直線から、アシンメトリ値が０となる記録パワーを特定し、当該記録パワーにてテスト記録を再度実施する。そうすると、予測どおり分散が低下しているか否かを確認できる。予測どおり分散が低下している場合には、その時の記録パワーを採用する。また、図１２及び図１３においてプロット数を増加させてから最適な記録パワーを特定するようにしても良い。すなわち、曲線ｄ及び直線ｆをより正確なものに修正し、その修正後の直線ｆからさらにアシンメトリ値が０となる記録パワーを特定してテスト記録を実施するなどの処理を行うようにしても良い。
【００９０】
次に、繰り返しが必要であればステップＳ１５１に戻る（ステップＳ１５９）。この処理については上で述べたとおり、繰り返して分散の値を低下させるのか、一度に全てテストしてしまって繰り返しを行わないのかというポリシーの違いである。
【００９１】
なお、ステップＳ１５１乃至Ｓ１５７を繰り返してもターゲット値を満たすような記録条件を見出せない場合には、エラーを出力するため例えばステップＳ１７１に移行するようにしても良い。
【００９２】
次に、ステップＳ１５９において記録条件を調整する必要がないと判断された場合には、ＣＰＵ１２５は、ディスク１５０に対する記録の可否を判断する（ステップＳ１６１）。本ステップでは、振幅のピーク値の分散、記録パワー（又は通常の記録パワーとステップＳ１５７で決定された記録パワーとの差）などが、メモリ１２７に格納されている記録可否判断の基準値（範囲を規定する場合には上限値及び下限値）と比較して、所定基準以上の十分な記録品位を得られるか否かを判断する。記録可否判断の基準値を複数設け、指定の記録速度で記録可、指定の記録速度より低速で記録可、記録不可のいずれかを特定できるようにしても良いし、指定の記録速度で記録できない場合に、例えば「指定の記録速度より低速で記録」又は「記録中止」のいずれかを選択するように、Ｉ／Ｆ１２８を介して表示部１３１に表示を行い、操作部１３２からの選択指示をＩ／Ｆ１２８を介して受信するようにしても良い。低速記録のレベル分けを行うようにしても良い。その場合には、レベルに応じた基準値を設けておき、その基準値との比較で判断する。
【００９３】
なお、本ステップにおける判断は、上で述べたパラメータだけではなく、他のパラメータを基準に行うようにしても良い。
【００９４】
そして、記録停止と判断されると（ステップＳ１６３：Ｙｅｓルート）、ステップＳ１７１に移行する。記録停止ではなく（ステップＳ１６３：Ｎｏルート）、指定の記録速度より低速で記録すると判断された場合には（ステップＳ１６５：Ｙｅｓルート）、ステップＳ１６１で決定されたレベルの速度又は予め低速として決められている速度で、データの記録を実施する（ステップＳ１６７）。通常のデータの記録処理については従来と同様であるからこれ以上の説明は省略する。そして処理はステップＳ１７１に移行する。
【００９５】
本実施の形態では、ステップＳ１６５において低速記録を行わない場合には（ステップＳ１６５：Ｎｏルート）、指定の記録速度でデータ記録処理を行う（ステップＳ１６９）。この処理についても通常と同じであるからこれ以上の説明は省略する。そして処理はステップＳ１７１に移行する。
【００９６】
記録中止又は何らかの速度で記録を行った後に、ＣＰＵ１２５は、Ｉ／Ｆ１２８を介して表示部１３１に、所定の情報を表示し、さらにメモリ１２７に所定の履歴データを格納する（ステップＳ１７１）。例えば、メディアＩＤ、記録速度などの判断結果、調整又は設定内容、処理結果その他上で特定された情報を表示部１３１に表示する。これによってユーザは、どのような記録が行われたか、またディスク１５０に対して多くのパワー調整が必要であったか否かなどの情報を得ることができ、例えばディスク１５０の選択の目安にすることができるようになる。また、メディアＩＤ、記録速度などの判断結果、調整内容、処理結果その他上で特定された情報など、後の記録及び調整処理を効率化するために必要なデータについては、メモリ１２７に格納しておく。
【００９７】
このようにメモリ１２７に格納しておけば、同じメディアＩＤであれば過去の分散の平均などをそのまま用いてしまって、分散の算出処理を省略することが可能となる。また、記録パワーの履歴から、同一のメディアＩＤであれば、過去の記録パワーの平均値などを基準に記録条件を設定するようにしても、テスト記録の回数を減ずることができる。このような機能をＣＰＵ１２５で実現させても良い。
【００９８】
また、メモリ１２７の代わりに又はメモリ１２７に加えて、ディスク１５０に上記のようなデータを保存するようにしても良い。ディスク１５０に保存する場合には、例えば光情報記録再生装置１００のＩＤなどをメディアＩＤに代わって保存しておく。そうすれば、追記型のディスク１５０等の場合には、同じディスク１５０によってデータ記録を再度行う場合には、ディスク１５０に格納された記録関連データを用いて、記録及び調整処理を効率化することができるようになる。
【００９９】
以上のような処理を実施することにより、記録条件に含まれる記録パワーの調整を適切に行うことができるようになる。そして、実際のデータ記録に先立って（又はデータ記録の途中において）記録状態を評価し、その評価結果に応じて必要な記録条件の調整を行うことができ、ユーザが大切なデータを安心して記録できるようになる。
【０１００】
なお、ステップＳ１６１乃至ステップＳ１７１については、記録パワー以外の他の調整（例えば図２のステップＳ２００乃至Ｓ４００）を行ってから実施する。当然記録パワーのみの調整で済ませる場合には、そのままステップＳ１６１乃至ステップＳ１７１も実施すればよい。
【０１０１】
また、上で述べた振幅のピーク値をベースとした処理は、記録パワーの調整だけではなく、記録パルスの調整にも適用可能である。例えば記録パルスの幅を少しずつ変えてテスト記録を行った際に、振幅のピーク値の分散などの統計量が適切である場合の記録パルス幅を採用することも可能である。
【０１０２】
なお、本実施の形態では、光情報記録再生装置１００において全ての処理を実施するような例を示しているが、例えばステップＳ１５５までを光情報記録再生装置１００内において実施し、他の処理については別の装置にて行う場合、又は光情報記録再生装置１００の評価のためにステップＳ１５５の結果のみを利用する場合もある。
【０１０３】
４．第３の実施の形態
上で述べた実施の形態では、メモリ１２７に参照データ及びターゲット値等の基準値を格納している例を示したが、必ずしもメモリ１２７に保持しておく必要はない。例えば、ディスク１５０に保持させておいても良い。ディスク１５０に保持させる場合には、図１４に示すようなＬｅａｄ−ｉｎ領域の中に保持しておく。Ｌｅａｄ−ｉｎ領域は、システムＬｅａｄ−ｉｎ領域と、コネクション領域と、データＬｅａｄ−ｉｎ領域とに大きく分かれており、システムＬｅａｄ−ｉｎ領域は、イニシャル・ゾーン、バッファ・ゾーン、コントロールデータ・ゾーン、バッファ・ゾーンを含む。また、コネクション領域は、コネクション・ゾーンを含む。さらに、データＬｅａｄ−ｉｎ領域は、ガードトラック・ゾーン、ディスクテスト・ゾーン、ドライブテスト・ゾーン、ガードトラック・ゾーン、ＲＭＤデュープリケーション・ゾーン、レコーディングマネジメント・ゾーン、Ｒ−フィジカルフォーマットインフォメーション・ゾーン、リファレンスコード・ゾーンを含む。  本実施の形態では、システムＬｅａｄ−ｉｎ領域のコントロールデータ・ゾーンに、レコーディングコンディションデータ・ゾーン１７０を含むようにする。
【０１０４】
このレコーディングコンディションデータ・ゾーン１７０に、メモリ１２７に保持させるとしたデータ、特に、振幅のピーク値の統計量（例えば、最大値と最小値の差分量、平均値、分散、平均偏差など）に対する基準値（ターゲット値、上限値、下限値など）と、標準的な記録条件に対する調整量又は推奨記録パワーなどを保持させ、必要な時に読み出すようにする。この記録すべき値については、ディスク１５０の平均的な値を一律に登録するようにしても良いし、そのディスク１５０について出荷前のテストに応じた値を登録するようにしても良い。
【０１０５】
このように記録が行われるディスク１５０に応じた値をディスク１５０が保持することによって、ドライブ側の処理負荷を下げることができる場合もある。
【０１０６】
なお、ステップＳ１７１又はステップＳ１２９で格納すべきデータについても、同じゾーンに格納するようにしても良い。
【０１０７】
５．第４の実施の形態
第１及び第２の実施の形態では、入出力システム１３０としてテレビ受像器及びリモートコントローラを想定した例を示したが、例えば、図１５に示すようにパーソナルコンピュータ１８０が接続される場合もある。また光情報記録再生装置１００がパーソナルコンピュータと一体化される場合もある。
【０１０８】
図１５のような場合には、パーソナルコンピュータ１８０には、ディスプレイである表示部１８１と、キーボードやマウスである入力部１８２と、ソフトウエアを実行することにより実現されるデータ記録処理部１８３とが含まれる。このデータ記録処理部１８３は、Ｉ／Ｆ１２８を介してＣＰＵ１２５と通信を行い、例えば表示データを受け取って表示部１８１へ表示を行い、入力部１８２からの入力を受け付けてＣＰＵ１２５に出力する等の処理を行う。なお、データ記録処理部１８３は、例えば既存のディスクライタ・ソフトウエアと一体化して実現される場合もある。
【０１０９】
また、ＣＰＵ１２５においては振幅のピーク値の検出又は振幅のピーク値の統計量算出までを実施し、その算出結果をデータ記録処理部１８３に出力してデータ記録処理部１８３が上で述べたような処理を実施するようにしても良い。
【０１１０】
以上述べたような処理を行えば、記録条件（ストラテジ）に含まれる複数のパラメータを特定且つ独立して補正することができ、少ないパラメータ調整で高品位な記録を可能とする条件を特定することができるようになる。特に図２に示すような処理を行い且つ上で述べたような手法で記録パワーを設定する場合には、上で述べた事項に対して特に有効である。
【０１１１】
従って、ＤＶＤ、ＨＤ−ＤＶＤ、Ｂｌｕ−ｒａｙといった高密記録システムにおいても、正確なマークおよびスペースの形成が可能であり、特にＰＲＭＬ信号処理を用いる記録再生システムにおいては、低エラーレート、ワイドマージンといった高記録品位を得ることが可能になる。
【図面の簡単な説明】
【０１１２】
【図１】本発明の実施の形態における記録パルスを説明するための図である。
【図２】本発明の実施の形態におけるメイン処理フローを示す図である。
【図３】本発明の実施の形態に係る機能ブロック図である。
【図４】本発明の第１の実施の形態における処理フローを示す図である。
【図５】本発明の実施の形態におけるピーク値を説明するための図である。
【図６】本発明の実施の形態におけるピーク値の差分量を説明するための図である。
【図７】アシンメトリ値について説明するための図である。
【図８】本発明の第１の実施の形態における記録パワー調整を説明するための図である。
【図９】本発明の第１の実施の形態における記録パワー調整を説明するための図である。
【図１０】本発明の第２の実施の形態における処理フローを示す図である。
【図１１】本発明の第２の実施の形態におけるピーク値の分散を説明するための図である。
【図１２】本発明の第２の実施の形態における分散値を説明するための図である。
【図１３】本発明の第２の実施の形態におけるアシンメトリ値を説明するための図である。
【図１４】本発明の第３の実施の形態におけるディスクに格納されるデータ構造を示す図である。
【図１５】パーソナルコンピュータを使用する場合の機能ブロック図である。
【符号の説明】
【０１１３】
１００  光情報記録再生装置
１１０  ピックアップ部    １１１  ＬＤ  
１１２  ＰＤ    １１３  コリメートレンズ
１１４  対物レンズ    １１５  検出レンズ
１１６  ビームスプリッタ    １２１  ＬＤドライバ
１２２  スライサ    １２３  データ復調回路
１２４  特性値検出部    １２５  ＣＰＵ    １２６  メモリ回路
１２７  メモリ    １２８  Ｉ／Ｆ
１３０  入出力システム    １３１  表示部
１３２  操作部
１５０  ディスク
【図１】
0004440207.tif 000002
【図２】
0004440207.tif 000003
【図３】
0004440207.tif 000004
【図４】
0004440207.tif 000005
【図５】
0004440207.tif 000006
【図６】
0004440207.tif 000007
【図７】
0004440207.tif 000008
【図８】
0004440207.tif 000009
【図９】
0004440207.tif 000010
【図１０】
0004440207.tif 000011
【図１１】
0004440207.tif 000012
【図１２】
0004440207.tif 000013
【図１３】
0004440207.tif 000014
【図１４】
0004440207.tif 000015
【図１５】
0004440207.tif 000016